(57)【要約】【課題】荷重の分散伝播性能に優れた誘導防護構造体の防護ネットを提供すること。【解決手段】ロープを編み込んで形成した複数の菱形ロープネットと、ロープを編み込んで形成した複数の三角ロープネットとにより防護ネットを構成し、防護ネットの周囲に衝撃荷重を伝達可能な主ロープを設け、主ロープの複数箇所を斜面に定着したアンカーに支持させる。【選択図】図３
2010043436.tif 000002
【特許請求の範囲】
【請求項１】
斜面にロープ製の防護ネットを配置して構成する落石誘導防護構造体であって、
前記防護ネットは網目が扁平した菱形形状を呈する少なくとも複数の菱形ロープネットより構成し、
前記防護ネットの周囲に衝撃荷重を伝達可能な主ロープを設け、
前記主ロープの複数箇所を斜面に定着したアンカーに支持させたことを特徴とする、
落石誘導防護構造体。
【請求項２】
斜面にロープ製の防護ネットを配置して構成する落石誘導防護構造体であって、
前記防護ネットはロープを編み込んで網目を扁平した菱形形状に形成した複数の菱形ロープネットと、
ロープを編み込んで形成した複数の三角ロープネットとにより構成し、
前記防護ネットの周囲に衝撃荷重を伝達可能な主ロープを設け、
前記主ロープの複数箇所を斜面に定着したアンカーに支持させたことを特徴とする、
落石誘導防護構造体。
【請求項３】
請求項１又は２において、前記ロープネットは、菱形又は三角形を呈する枠ロープと、該枠ロープの内側に編みロープで菱形の網目に編み込んだ菱形編みネットとにより構成したことを特徴とする、落石誘導防護構造体。
【請求項４】
請求項３において、前記ロープネットを構成する枠ロープと菱形編みネットの網目が横方向に長く縦方向に短い菱形形状であることを特徴とする、落石誘導防護構造体。
【請求項５】
請求項３において、前記ロープネットを構成する枠ロープと菱形編みネットの網目が縦方向に長く横方向に短い菱形形状であることを特徴とする、落石誘導防護構造体。
【請求項６】
請求項１乃至請求項５の何れか１項において、最上部の主ロープに取り付けた防護ネットが、該主ロープに沿って摺動可能であることを特徴とする、落石誘導防護構造体。
【請求項７】
請求項１乃至請求項６の何れか１項において、前記主ロープがアンカー頭部に摺動可能に支持されていることを特徴とする、落石誘導防護構造体。
【請求項８】
請求項１乃至請求項６の何れか１項において、アンカーと主ロープの間を、連結部材を介して連結したことを特徴とする、落石誘導防護構造体。
【請求項９】
請求項１乃至請求項６の何れか１項において、アンカーと主ロープの間に緩衝金具を介在して連結したことを特徴とする、落石誘導防護構造体。
【請求項１０】
請求項１乃至請求項９の何れか１項において、隣り合うアンカーの間を結ぶ主ロープに、緩衝金具を介在したことを特徴とする、落石誘導防護構造体。
【請求項１１】
請求項１乃至請求項１０の何れか１項において、主ロープの一部または全部にサグを有するように取り付けたことを特徴とする、落石誘導防護構造体。
【請求項１２】
請求項１または請求項２において、主ロープで囲まれた領域、又はその一部が金網で覆われていることを特徴とする、落石誘導防護構造体。
【請求項１３】
請求項１乃至請求項１２の何れか１項において、防護ネットの一部を斜面から離隔して設けたポケット式であることを特徴とする、落石誘導防護構造体。
【請求項１４】
請求項１乃至請求項１２の何れか１項において、防護ネットの隅部を斜面に固定して設けた覆い式であることを特徴とする、落石誘導防護構造体。
【発明の詳細な説明】
【技術分野】
【０００１】
本発明は落石、地滑り、雪崩等の衝撃を緩和しながら捕捉、又は誘導する防護ネット及びこの防護ネットを用いた誘導防護構造体に関し、より詳細には１００ｔ以上の巨大な岩塊や急峻斜面に点在する岩塊の落下を路側に誘導できる防護技術に関するものである。
【背景技術】
【０００２】
ワイヤーロープと金網とを組合わせた防護ネットは周知である。
防護ネットを斜面に密着させた覆網式の誘導防護構造体が特許文献１，２により開示されている。
特許文献１の公報には、斜面の保護範囲を金網で直接被覆した後、金網の表面に縦横方向に向けて複数の縦横ロープを配置し、各縦横ロープの端部と交差部をそれぞれアンカーに固定して構成する誘導防護構造体が開示されている。
特許文献２には、各縦横ロープの端部とアンカーの間に緩衝具を介装するとともに、各縦横ロープの交点にも緩衝具を設けて防護ネットの緩衝性能を高めた誘導防護構造体が開示されている。
【０００３】
落石を路側等に誘導するポケット式（又はカーテン式）の誘導防護構造体が特許文献３，４に開示されている。
特許文献３には、斜面に所定の間隔を隔てて傾倒可能に立設した複数の支柱と、各支柱の上部間に垂下され、複数の縦横ロープ材を交差させて形成したロープ製ネットに金網を付設して形成した防護ネットとを具備し、防護ネットの上半部分は斜面から離隔して支柱にカーテン状に垂設して落石の取り込み空間を確保し、地山に敷設した防護ネットの下半部分で落石を誘導する誘導防護構造体が開示されている。
【０００４】
また特許文献４には、沢状部の左右両側に立設した支柱間に上部掛け横ロープを横架し、この上部掛け横ロープから垂下したハンガーロープを用いて荷重支持用横ロープを懸架することで、支柱の配置スパンを広くした誘導防護構造体が開示されている。
【０００５】
【特許文献１】特開平７−３００８２０号公報
【特許文献２】特開２０００−２６５４２０号公報
【特許文献３】特開平７−４２１１７号公報
【特許文献４】特開平２００５−３５０８８６号公報
【発明の開示】
【発明が解決しようとする課題】
【０００６】
前記した従来の誘導防護構造体にあっては、つぎのような問題点がある。
（１）従来の誘導防護構造体にあっては、防護ネットの一部に荷重が加わると、受撃範囲の横ロープ及び縦ロープのみに荷重が伝わり、最終的に荷重が伝わった各縦横ロープの端部を固定したアンカーで荷重を支持する構造である。
そのため、集中荷重によるアンカーの破損を回避するため、すべてのアンカーに大きなアンカー耐力を付与しなければならず、不経済な設計になり易い。
（２）前記したように従来の誘導防護構造体は防護ネットの一部に加わった荷重を防護ネット全体に分散できず、しかもすべてのアンカーで荷重を分散支持できない構造である。
そのため、アンカー耐力を超えた荷重が一部のアンカーに作用した場合、一部のアンカーの破損に止まらず、隣り合う各アンカーに過大な荷重が集中的に作用してアンカーの破損が拡大する危険がある。
（３）覆網式及びポケット式の誘導防護構造体にあっては、防護ネットの受撃性能や強度の増大を図るために、縦ロープ及び横ロープの配置間隔を小さくする必要がある。
各縦横ロープの配置間隔を狭くすると、縦横ロープの設置本数が増えるだけでなく、ロープの設置本数に比例してアンカーの設置数も増えることになる。
一般にアンカーの設置には大重量の大型機械と大規模な作業架台の使用を強いられ、これらの機材を移動しながらアンカー工をすすめなければならず、アンカー工に要する工費及び工期の負担が大きい。
（４）防護ネット全体の受撃性能を高めるために、各縦横ロープのすべての交点に多数の摩擦抵抗式の緩衝具を取付けている。
緩衝具の設置作業に多くの時間と労力を要するだけでなく、防護ネットの緩衝コストが高くつくといった問題がある。
（５）ポケット式の誘導防護構造体にあっては、発生した落石を斜面途中で停止または路側に誘導可能な落石の大きさは、最大で１ｔ程度であり、大きい不安定岩塊には対応が不可能である。
（６）防護ネットの架設作業の大部分はアンカー工と縦ロープおよび横ロープの設置工であり、これらの縦横ロープの設置作業及び縦横ロープの交点の固定作業は、現地での空中作業、又は急斜面上での作業となる。
作業中における落石や地震の発生を考慮すると、作業員の安全性をどのように確保するかの課題が残されており、改善技術の提案が切望されている。
【０００７】
本発明は上記のような従来の問題を解決するためになされたもので、その目的とするところは少なくともつぎのひとつの誘導防護構造体の防護ネット及び落石誘導技術を提供することにある。
（１）荷重の分散伝播性能に優れた誘導防護構造体の防護ネットを提供すること。
（２）多数の緩衝具を設置せずに荷重を効率的に減衰できる誘導防護構造体の防護ネットを提供すること。
（３）防護ネットの架設時における安全性を確保し、大岩塊の落下に際しても路側に誘導可能な落石誘導技術を提供すること。
（４）アンカーの使用数量を減らして防護ネットを設置できる、落石誘導技術を提供すること。
【課題を解決するための手段】
【０００８】
上記のような課題を解決するために、本願発明の落石誘導防護構造体は、斜面にロープ製の防護ネットを配置して構成する落石誘導防護構造体であって、前記防護ネットは網目が扁平した菱形形状を呈する少なくとも複数の菱形ロープネットより構成し、前記防護ネットの周囲に衝撃荷重を伝達可能な主ロープを設け、前記主ロープの複数箇所を斜面に定着したアンカーに支持させたことを特徴とするものである。
さらに本願発明の落石誘導防護構造体は、斜面にロープ製の防護ネットを配置して構成する落石誘導防護構造体であって、前記防護ネットはロープを編み込んで網目を扁平した菱形形状に形成した複数の菱形ロープネットと、ロープを編み込んで形成した複数の三角ロープネットとにより構成し、前記防護ネットの周囲に衝撃荷重を伝達可能な主ロープを設け、前記主ロープの複数箇所を斜面に定着したアンカーに支持させたことを特徴とするものである。
さらに本願発明は前記した落石誘導防護構造体において、前記ロープネットは、菱形又は三角形を呈する枠ロープと、該枠ロープの内側に編みロープで菱形の網目に編み込んだ菱形編みネットとにより構成したことを特徴とするものである。
さらに本願発明は前記した落石誘導防護構造体において、前記ロープネットを構成する枠ロープと菱形編みネットの網目が横方向に長く縦方向に短い菱形形状であることを特徴とするものである。
さらに本願発明は前記した落石誘導防護構造体において、前記ロープネットを構成する枠ロープと菱形編みネットの網目が縦方向に長く横方向に短い菱形形状であることを特徴とするものである。
さらに本願発明は前記した何れかの落石誘導防護構造体において、最上部の主ロープに取り付けた防護ネットが、該主ロープに沿って摺動可能であることを特徴とするものである。
さらに本願発明は前記した何れかの落石誘導防護構造体において、前記主ロープがアンカー頭部に摺動可能に支持されていることを特徴とするものである。
さらに本願発明は前記した何れかの落石誘導防護構造体において、アンカーと主ロープの間を、連結部材を介して連結したことを特徴とするものである。
さらに本願発明は前記した何れかの落石誘導防護構造体において、アンカーと主ロープの間に緩衝金具を介在して連結したことを特徴とするものである。
さらに本願発明は前記した何れかの落石誘導防護構造体において、隣り合うアンカーの間を結ぶ主ロープに、緩衝金具を介在したことを特徴とするものである。
さらに本願発明は前記した何れかの落石誘導防護構造体において、主ロープの一部または全部にサグを有するように取り付けたことを特徴とするものである。
さらに本願発明は前記した落石誘導防護構造体において、主ロープで囲まれた領域、又はその一部が金網で覆われていることを特徴とするものである。
さらに本発明は前記した何れかの落石誘導防護構造体において、、アンカー間の一部に主ロープが配置されていないことを特徴とするものである。
【０００９】
さらに本発明は前記した何れかの落石誘導防護構造体において、防護ネットの一部を斜面から離隔して設けたポケット式であることを特徴とするものである。
さらに本発明は前記した落石誘導防護構造体において、防護ネットの隅部を斜面に固定して設けた覆い式であることを特徴とするものである。
【発明の効果】
【００１０】
本発明は少なくとも次の効果を得ることができる。
（１）防護ネットを構成する菱形ロープネット、又は三角ロープネットが落石の衝突により、衝突部近辺のロープネットの網目形状が変形しながら防護ネット全体として大きい変形量が得られ、落石エネルギーの吸収効率が増大する。
したがって、防護ネットの衝撃荷重を小さく抑制することができる。
（２）菱形のロープネットを用いることにより、落石の衝突荷重が斜め方向に拡大分散しながら伝播するため、主ロープの両端部近傍に荷重が集中する。
したがって、主ロープへの荷重の負担が少なくなる。
（３）衝撃荷重がロープネットのロープ方向に伝播するので、主ロープまでの距離が長くなり、その間に衝撃荷重が分散されて、主ロープおよびアンカーへ作用する負荷の負担を低減することができる。
（４）必要とするアンカー本数を極端に少なくすることができる。
これに伴いアンカー工に必要な大規模な作業架台や大型機械の移動回数を大幅に低減することができる。
（５）一部の主ロープに作用する衝撃荷重が大きい場合には、主ロープをアンカー頭部で摺動可能に支持することで、隣り合う主ロープへ荷重が伝播されて、荷重の分散が期待できる。
【発明を実施するための最良の形態】
【００１１】
以下、図面を参照しながら本発明の実施の形態について説明する。
【実施例１】
【００１２】
［構成］
【００１３】
（１）防護ネットの基本モデル
既述したように従来の防護ネットは複数の横ロープ材を所定の間隔を隔てて並列したり、複数の縦ロープと複数の横ロープを交差させて並列するものであった。
これに対して、本発明の防護ネット１０は、ロープ材の配置方向が従来と異なり、網目が扁平した菱形を呈するように、斜め方向に向けたロープ材を交差させて配置して、防護ネット１０の一部に作用した衝撃を斜め方向に配置したロープ材の固定した交点を通じて広範囲に分散伝播できるとともに、扁平した菱形の網目形状が略正方形に近い形状に変化したり、より扁平した菱形形状に変化したりする際の変形抵抗により衝撃を減衰できる構造になっている。
【００１４】
図１に複数の分割体で構成した防護ネット１０のモデル図を示す。
同図に示すように、本例の防護ネット１０は縦に長く横に短い（縦長横細）菱形形状を呈する複数の菱形ロープネット２０を主体として構成する。
本例では複数の菱形ロープネット２０の集合体と、複数の三角ロープネット３０と、これらのネット２０，３０間を相互に連結する連結手段４０とにより防護ネット１０を構成する場合について説明する。
【００１５】
防護ネット１０を菱形ロープネット２０を主体として構成するのは、ネットを切除することなく、菱形ロープネット２０や三角ロープネット３０の設置位置を変更するだけで、防護ネット１０の全体形状を設置現場に合わせるためである。
【００１６】
尚、三角ロープネット３０は防護ネット１０の辺部を直線形に形成するためのネットであるから、現場の形状によっては設置を省略する場合がある。
【００１７】
（２）菱形ロープネット
菱形ロープネット２０は縦長横細の菱形を呈するように形成した太径の枠ロープ２１と、細径の編みロープ２２ａで縦長横細の菱形の網目に編み込んで枠ロープ２１と一体化した菱形編みネット２２とよりなる。
枠ロープ２１及び菱形編みネット２２はワイヤロープ等で構成する。
【００１８】
図２に菱形ロープネット２０の形成例を示す。
菱形編みネット２２を構成する編みロープ２２ａの端部は枠ロープ２１に貫通させる等して枠ロープ２１に固定するとともに、交差する編みロープ２２ａの交点も金具等でロープを結合したり、或いは貫通させる等して固定する。
【００１９】
ロープネット２０，３０の寸法や形状は、架設前に防護ネット１０の設置現場を測量して予めその寸法や形状を決定しておくとよい。
【００２０】
本発明は無負荷状態において、菱形ロープネット２０を構成する枠ロープ２１の網目形状（輪郭）と菱形編みネット２２の網目形状が縦方向または横方向に扁平した菱形形状を呈するように形成するものである。
本例では無負荷状態における枠ロープ２１の形状（輪郭）と菱形編みネット２２の網目形状が縦長横細の菱形形状である場合について説明するが、これらの網目形状は後述するように横長縦細であってもよい。
【００２１】
［網形状を縦長横細の菱形に形成した理由］
菱形ロープネット２０を構成する枠ロープ２１の形状と菱形編みネット２２の網目形状を縦長横細の菱形形状に形成したのは、つぎのふたつの理由によるものである。
【００２２】
そのひとつの理由は、受撃時に枠ロープ２１の形状と菱形編みネット２２の網目形状が正方形に近い形状に変形したり、或いはより縦長横細の菱形形状に変形する際の変形抵抗によって、衝撃荷重を減衰するためである。
【００２３】
もうひとつの理由は、これらの変形過程を落石等が衝突した範囲の菱形ロープネット２０の範囲内に留まらず、変形した菱形ロープネット２０に隣接する外方向の菱形ロープネット２０へ順次伝播分散させて、防護ネット１０全体の変形抵抗により衝撃荷重を減衰して防護ネット１０の緩衝性能を高めるためである。
【００２４】
［ロープ材を斜めに配置した理由］
また菱形ロープネット２０は、従来のように縦方向（鉛直方向）または横方向（水平方向）に沿ったロープ材を追加配置せずに、斜め方向に沿ったロープ材のみで構成するものである。
菱形ロープネット２０に縦方向または横方向に向けてロープ材を追加して配置すると、菱形ロープネット２０の変形が阻害されるだけでなく、縦横方向に配置したロープ材の端部に荷重が集中して荷重の分散が阻害される。
このような弊害を回避するために、斜め方向に沿ったロープ材のみで菱形ロープネット２０を構成することとした。
【００２５】
（３）三角ロープネット
三角ロープネット３０は三角形を呈する太径の枠ロープ３１と、細径の編みロープで菱形の網目に編み込んで枠ロープ３１と一体化した編みネット３２とよりなる。
枠ロープ３１及び編みネット３２はワイヤロープ等で構成する。
【００２６】
編みネット３２の網目形状は前記枠ロープネット２０と同様に縦長横細、又は横長縦細の菱形に形成する。
本例では編みネット３２の網目形状を縦長横細の菱形形状に形成した場合について示す。
編みネット３２の網目形状を菱形ロープネット２０の編みネット２２のと同形状とした理由は、既述した菱形ロープネット２０と同じであるのでその詳しい説明を省略する。
【００２７】
三角ロープネット３０は編みネット３２と枠ロープ３１の間を固定するとともに、編みネット３２を構成するロープの交点を摺動可能、又は固定して形成することは、前記した菱形ロープネット２０と同じであるのでその詳しい説明を省略する。
【００２８】
また本例では防護ネット１０の上下辺部と横辺部にそれぞれ設置する輪郭形の異なる二種類の三角ロープネット３０を使用する場合について示すが、三角枠ロープネット３０の輪郭形は菱形ロープネット２０の菱形形状に対応するように適宜選択すればよい。
【００２９】
（４）連結手段
隣接させた一対の枠ロープ間を連結する連結手段４０としては、別途の連結用のロープ材を巻き付けたり、鋼線を螺旋状に形成した連結コイルを巻き付けたり、公知のワイヤクリップ等を採用できる。
連結手段４０は、隣接する各ロープネット２０，３０相互間を荷重伝達が可能に連結できれば上記した以外の公知の連結手段が適用可能である。
【００３０】
そして菱形ロープネット２０及び三角ロープネット３０の各枠ロープ２１，３１の各辺の重合箇所を連結手段４０で連結して、菱形の枠ロープ２１の四辺と三角形の枠ロープ３１の二辺とをそれぞれ同一の直線上に位置させる。
図１では図面の簡略化を図る目的で図示を省略しているが、隣り合う各枠ロープ２１，３１の各辺はそれぞれ二重になっていて、かつ力の伝達が可能なように固定されている。
【００３１】
［作用］
【００３２】
図３〜５に基づいて防護ネット１０の作用について説明する。
【００３３】
（１）防護ネットのセット
図３において、防護ネット１０は複数の菱形ロープネット２０を構成する枠ロープ２１の傾斜した四辺と、三角ロープネット３０を構成する枠ロープ３１の傾斜した短辺二辺が連続配置され、各辺のロープが斜め方向に連続性を有して配置されている。
また防護ネット１０の周辺（上下辺、左右辺）においては、三角ロープネット３０の長辺が位置して、隣り合う菱形ロープネット２０，２０の間が荷重の伝達を可能に接続されている。
【００３４】
菱形ロープネット２０及び三角ロープネット３０により全体形状が方形を呈する防護ネット１０は、その隅部が支柱や地盤等の反力部材Ｇに固定されている。
本例では防護ネット１０の外周に沿って一体に主ロープ５０を設け、主ロープ５０の四隅をアンカー６０を介して反力部材Ｇに固定した場合について示すが、防護ネット１０の固定位置は使途に応じて適宜選択する。
また主ロープ５０は防護ネット１０に作用する荷重をアンカー６０へ伝達するためのロープ材であり、防護ネット１０の周縁部の摺動を許容した状態で連結される。
主ロープ５０の配置形態は、図示した形態の他に、防護ネット１０の下辺を除いた三辺に設けたり、上下二辺または左右二辺に設けてもよい。
尚、使途によっては主ロープ５０を省略し、三角ロープネット３０の枠ロープ３１の長辺で代用してもよい。
【００３５】
（２）荷重の分散伝播作用
複数の縦、横ロープを交差して形成した従来の防護ネットにあっては、落石が直接衝突した範囲に位置する縦、横ロープのみに衝撃が作用し、しかも衝撃の伝達方向は衝突のあった縦横ロープを介して縦横方向のみに伝播する構造であった。
【００３６】
これに対して本発明では、防護ネット１０の一部に落石Ｆ等の衝撃力が作用すると、落石Ｆの衝突位置に位置する菱形ロープネット２０の枠ロープ２１の傾斜する四辺を通じて、隣り合う複数の菱形ロープネット２０へ衝撃力が順次伝播される。
すなわち、防護ネット１０を構成する菱形形状の枠ロープ２１，３１の傾斜方向に沿って斜めに衝撃力が伝播される（図３の矢印参照）。
以上のように、防護ネット１０の一部に作用した衝撃力は、衝突位置に位置しない菱形ロープネット２０及び三角ロープネット３０を通じて防護ネット１０の広範囲に分散して伝播される。
【００３７】
（３）衝撃力の分散吸収作用
反力部材Ｇで支持された防護ネット１０に衝撃が作用すると、防護ネット１０が面外に撓み変形する。
このとき、防護ネット１０の衝撃が直接作用した衝撃点の近傍では、以下に詳述するように各菱形ロープネット２０が網目形状を変形するときの変形抵抗によって落石Ｆ等が有する衝撃荷重を分散して減衰する。
【００３８】
図４〜６を基に防護ネット１０を構成する菱形ロープネット２０の形状変化について詳述する。
図４は縦長横細の菱形ロープネット２０の形状が変化する直前の状態を示し、図５，６は落石Ｆ等の衝撃力が作用した受撃位置の近傍の菱形ロープネット２０が形状を変化した状態を示す。
【００３９】
防護ネット１０に落石Ｆ等の衝撃が作用すると、菱形形状の枠ロープ２１，３１を通じて斜め方向に衝撃力が伝播される。
その結果、落石Ｆが衝突した位置の横方向に位置する菱形ロープネット２０では、図５に示すように縦長の菱形形状の網目の横幅が増大しつつ、縦の長さが減少するように力がはたらくために、縦長横細であった菱形形状が略正方形に近い形状に変形する。
縦長横細であった菱形形状が略正方形に近い形状に変形する形状変化は、防護ネット１０の周縁に近づくにしたがい、その変形量が小さくなって当初の縦長横細菱形を保つ。
【００４０】
一方、落石Ｆが衝突した位置の縦方向に位置する菱形ロープネット２０では、図６に示すように縦長の菱形形状の網目の縦の長さが増大しつつ、横幅が減少するように力がはたらくために、縦長横細であった菱形形状が上下に尖った菱形に変形する。
【００４１】
上記した菱形ロープネット２０の形状変化は、枠ロープ２１だけでなく枠ロープ２１の内部で縦長横細の菱形形状に編み込まれた菱形編みネット２２においても、枠ロープ２１の形状変形と同形に変化する際の変形抵抗よって衝撃荷重を吸収できる。
【００４２】
このとき、衝突した菱形編みネット２２の交点の編みロープの張力の合力の方向は、概編みロープの方向、すなわち、これに連結する枠ロープ２１の方向であるから、衝撃荷重の伝達方向は、衝撃点からの距離の増大とともに広い範囲の枠ロープ２１へと伝播してゆく。
【００４３】
このように衝撃荷重の伝播に伴う菱形ロープネット２０の形状変形過程は防護ネット１０全体に伝播して、防護ネット１０全体の変形抵抗によって衝撃荷重を減衰するため、防護ネット１０全体としての緩衝性能を高めることができる。
【００４４】
図４に示したように網目形状が縦長横細を呈する菱形編みネット２２が左右横に引っ張られて図５に示す略正方形に近い形状に変形するときの変形力と横方向の伸び量の関係は、小さい力で横方向への伸びが大きく、一方菱形編みネット２２が上下に引っ張られて図６に示す上下に尖った菱形形状に変形するときの変形力と縦方向の伸び量の関係は、大きい力でも縦方向の伸び量が小さい。
そのため、図１に示すように防護ネット１０の網目形状を縦長横細の菱形形状に形成した本例の場合は、防護ネット１０の横方向に向けた変位量Ｘが防護ネット１０の縦方向に向けた変位量Ｙに卓越する。
【００４５】
複数の縦横ロープを交差して形成した従来の防護ネットにあっては、衝撃力が主ロープの中央付近に集中して作用するが、本例にあっては、防護ネット１０から主ロープ５０に伝達される衝撃荷重の作用位置は、図３のように主ロープ５０の端部近くである。
したがって、主ロープ５０の径は小さくてよく、最終的にアンカー６０を介して反力部材Ｇへ伝わる衝撃荷重は極めて小さくなる。
【００４６】
尚、主ロープ５０及び枠ロープ２１，３１には、落石の運動エネルギーを考慮して、適切なサグ（たわみ）を持たせておくことが望ましい。
【実施例２】
【００４７】
以降に他の実施の形態について説明するが、その説明に際し、前記した実施の形態１と同一の部位は同一の符号を付してその詳しい説明を省略する。
【００４８】
図７に防護ネット１０の網目形状を横長の菱形形状に形成した他の実施例について説明する。
本実施例に係る防護ネット１０は、縦に短く横に長い（縦細横長）菱形形状に形成した複数の菱形ロープネット２０と、複数の三角ロープネット３０と、これらのネット２０，３０間を相互に連結する連結手段とによりを構成する。
両ロープネット２０，３０の構成は、既述した実施例１と同じであり、網目の形状だけが縦細横長の菱形形状としたことが異なる。
【００４９】
本実施例の防護ネット１０の作用は既述した実施例１と同じであるから説明を省略する。
本例における受撃時の網目形状の変形は、図５および図６を９０度回転させた形状に変化する。
本実施例の場合、実施例１の防護ネット１０を９０度回転させた形態であるから、衝撃の作用に伴う防護ネット１０の縦方向に向けた変位量Ｙは防護ネット１０の横方向に向けた変位量Ｘに卓越する。
【実施例３】
【００５０】
図８，９は既述した防護ネット１０を斜面７０に密着させた覆網式の誘導防護構造体として用いる場合を示す。まず誘導防護構造体の構築方法について説明する。
【００５１】
（１）アンカー工
岩塊７１の滑落の恐れがある斜面７０の領域の外側を囲むように、強固な岩盤に３箇所以上のアンカー６０を定着させる。
一般には、斜面７０の上方に２本、下方に２本のアンカー６０をそれぞれ定着する。
アンカー６０がロープ製アンカーの場合には、アンカー頭部を地表へ露出させておく。
アンカー６０のアンカー耐力と定着部の長さは、落下が予想される岩塊７１の大きさや誘導防護構造体に到達するまでの高さなどの設計条件から、適宜決定する。
【００５２】
（２）主ロープの設置工
斜面７０の上位に設置したアンカー６０，６０の頭部間、またはアンカー６０への連結部材の通孔が摺動可能なように主ロープ５０ａを横方向に配置して係留する。
さらに上下のアンカー６０，６０間に主ロープ５０ａから連続して主ロープ５０ｂ，５０ｂを縦方向に配置する。
縦方向に配置した主ロープ５０ｂ，５０ｂの下端を下部のアンカー６０，６０にそれぞれ定着する。
この際、図１０に拡大して示すように、上位の各アンカー６０，６０の露出端に形成した係留口６１に主ロープ５０を挿通させて、主ロープ５０ａと５０ｂの間で衝撃荷重を相互に伝達可能に構成する。
【００５３】
（３）ネットの設置
防護ネット１０を設置するには、左右のいずれか一方側から設置作業を開始する。
例えば、斜面７０の左側から防護ネット１０を架設する場合には、左側に図示を省略した作業架台を設置する。
【００５４】
すでに測量して形状が決定している菱形ロープネット２０及び三角ロープネット３０を上から順次結合していく。
最上部のロープネット２０，３０の左端及び右端は、連結金具等を用いて上部の主ロープ５０ａに摺動可能に吊り下げる。
縦一列目の組付けを終了すれば、縦一列目のロープネット２０，３０群を左側に手繰り寄せ、縦二列目の菱側ロープネット２０、三角形ロープネット３０を上から順次組付けるとともに、既設した縦一列目のロープネット２０，３０とも結合する。
順次、繰り返して最終列のロープネット２０，３０の組付けて防護ネット１０を製作する。
【００５５】
防護ネット１０の組立てを完了したら、上部の主ロープ５０ａに摺動可能に吊り下げた状態で、対岸から最終列のロープネット２０，３０を手繰り寄せて横方向に展開する。
その後、防護ネット１０の左右辺と縦の主ロープ５０ｂとを連結して架設作業を終了する。
【００５６】
このように防護ネット１０の設置を斜面７０の片側から行なえるので、設置工事中における作業員の安全性、施工手間、施工コストを考えると、従来品より安価で合理的で、大規模の落石に対応することができる。
【００５７】
（４）作用
このように防護ネット１０を配置すると、地震等により斜面７０上にある岩塊７１が落下すると、防護ネット１０と岩塊７１間の摩擦抵抗、及び斜面７０と岩塊７１間の摩擦抵抗により岩塊７１の落下エネルギーが吸収される。
その結果、岩塊７１は防護ネット１０に誘導させて斜面７０の下流の安全な地帯を誘導される。
【００５８】
岩塊７１による衝撃力は、多数の菱形ロープネット２０に拡散しながら菱形のロープ方向に伝播し、最終的に主ロープ５０ａ，５０ｂの両端付近に伝播される。
したがって、主ロープ５０ａ，５０ｂに作用した衝撃荷重は、上位の主ロープ５０ａの中央部ではなく縦方向に配置した主ロープ５０ｂの端部付近に作用して下部のアンカー６０，６０に直接伝播される。そのため、主ロープ５０ａ，５０ｂは特段に大きい径のロープを必要としない。
【００５９】
既述したように、網目が菱形形状の防護ネット１０に衝撃力が作用すると、衝突位置付近のみならず、広範囲に亘って防護ネット１０の網目形状が変形して、衝撃荷重を分散吸収できるから、アンカー６０，６０へ伝わる力が従来と比べて小さくなる。
【００６０】
本例のように、防護ネット１０の下辺に主ロープを設けない場合は、路側に十分な余裕がある現場や下辺の主ロープの張力が小さい現場に対して有効である。
【００６１】
また図１１に示すように、防護ネット１０の全周に主ロープ５０ａ，５０ｂを配置するとともに、その四隅を各アンカー６０に摺動自在に係留する場合もある。
【実施例４】
【００６２】
図１２，１３は既述した防護ネット１０を落石を路側等に誘導するポケット式（又はカーテン式）の誘導防護構造体に適用した場合を示す。
【００６３】
（１）誘導防護構造体の構築方法
［支柱の立設］
斜面７０に所定の距離を隔てて傾倒可能な支柱７２を立設する。
支柱７２の周囲の斜面７０には複数箇所にアンカー６０を設け、支柱７２とアンカーの間を控えロープ７３で接続する等して支柱７２を安定的に支持する。
【００６４】
［主ロープの設置］
支柱７２の上部間に主ロープ５０ａを横架する。
支柱７２の上部に通孔が設けられている場合は、通孔に主ロープ５０を挿通させて支柱７２の上部間に主ロープ５０を横架する。
【００６５】
［架設］
既述した実施例３と同様に防護ネット１０の組立作業を行ない、主ロープ５０ａに防護ネット１０を吊り下げる。
縦方向に配置した主ロープ５０ｂ，５０ｂの下端は下部のアンカー６０，６０にそれぞれ定着する。
【００６６】
（２）作用
既述したように、防護ネット１０に岩塊が衝突すると、衝突位置付近のみならず、広範囲に亘って防護ネット１０の網目形状が拡狭変形して衝撃荷重を吸収できる。
落石の衝突による衝撃力は、多数の菱形ロープネット２０に拡散しながら菱形のロープ方向に伝播し、主ロープ６５ｂの両端付近に伝播される。
【実施例５】
【００６７】
以上の実施例では、複数の菱形ロープネット２０と、複数の三角ロープネット３０と、これらのネット２０，３０間を相互に連結する連結手段４０とにより防護ネット１０を構成する場合について説明した。
【００６８】
図１４に示すようにロープで編成したネット構造体８０と、ネット構造体８０の片面に一体に付設した金網等の菱形補助ネット８１により防護ネット１０を構成してもよい。
ネット構造体８０は既述した複数の枠ロープ２１，３１を代替するもので、網目形状を縦長横細、または横長縦細の菱形を呈するように形成する。各ロープの交点は摺動不能に固定する。
ネット構造体８０の片面に金網等の菱形補助ネット８１を敷設し、ネット構造体８０を構成するロープ材と菱形補助ネット８１との間を力の伝達が可能なように、連結コイル等を用いて一体に固定する。
【００６９】
本例における防護ネット１０の衝撃荷重の分散吸収作用は既述した実施例と同様であるので説明を省略する。
【実施例６】
【００７０】
アンカー６０と主ロープ５０の間は、連結部材（連結用ロープ）を介して摺動不能、又は摺動可能に連結してもよい。
【００７１】
また主ロープ５０をアンカー６０に連結するにあたり、アンカー６０と主ロープ５０の間に公知の緩衝金具（図示を省略）を介在させてロープ材の摺動を許容する状態で連結すると、過大な衝撃荷重が作用したときに緩衝金具の設置箇所でロープ材が摺動することで、衝撃荷重を吸収するとともに、アンカー６０が破壊するのを防止することができる。
【００７２】
同様に隣り合うアンカー６０の間を結ぶ主ロープ５０の途中に緩衝金具を介在させると、過大な衝撃荷重が作用したときに緩衝金具の設置箇所でロープ材が摺動することで、衝撃荷重を吸収するとともに、主ロープ５０の破断及びアンカー６０の破壊を防止することができる。
【図面の簡単な説明】
【００７３】
【図１】本発明の実施例１に係る防護ネットのモデル図
【図２】菱形ロープネットの形成例の説明図
【図３】防護ネットの作用を説明するためのモデル図
【図４】菱形ロープネットの変形前の説明図
【図５】菱形ロープネットの衝撃吸収作用の説明図
【図６】菱形ロープネットの衝撃吸収作用の説明図
【図７】本発明の実施例２に係る防護ネットのモデル図
【図８】防護ネットを用いた本発明の実施例３に係る誘導防護構造体のモデル図
【図９】図８の誘導防護構造体の縦断面図
【図１０】アンカーと主ロープの係留構造の説明図
【図１１】防護ネットを用いた本発明の実施例３に係る他の誘導防護構造体のモデル図
【図１２】防護ネットを用いた本発明の実施例４に係る誘導防護構造体のモデル図
【図１３】図１２の誘導防護構造体の縦断面図
【図１４】本発明の実施例５に係る防護ネットのモデル図
【図１】
2010043436.tif 000003
【図２】
2010043436.tif 000004
【図３】
2010043436.tif 000005
【図４】
2010043436.tif 000006
【図５】
2010043436.tif 000007
【図６】
2010043436.tif 000008
【図７】
2010043436.tif 000009
【図８】
2010043436.tif 000010
【図９】
2010043436.tif 000011
【図１０】
2010043436.tif 000012
【図１１】
2010043436.tif 000013
【図１２】
2010043436.tif 000014
【図１３】
2010043436.tif 000015
【図１４】
2010043436.tif 000016
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
斜面にワイヤロープ製の防護ネットを配置して構成する落石誘導防護構造体であって、
前記防護ネットは少なくとも複数の菱形ロープネットと、
縦横方向に配置して隣接する複数の菱形ロープネット間を相互に連結する連結手段とより構成し、
前記菱形ロープネットは、無負荷状態における形状が縦方向または横方向に扁平した菱形形状を呈する枠ロープと、
該枠ロープの内側に編みロープにより、無負荷状態における網目形状が縦方向または横方向に扁平した菱形の網目形状に編み込んだ菱形編みネットとにより構成し、
前記複数の菱形ロープネットの枠ロープの傾斜する各辺のロープを、同一の直線上に位置するように斜め方向に連続性を有して配置し、
前記複数の菱形ロープネットの枠ロープの傾斜する四辺の重合箇所を力の伝達が可能なように連結手段で連結し、
前記防護ネットの周囲に衝撃荷重を伝達可能な主ロープを設け、
前記主ロープの複数箇所を斜面に定着したアンカーに支持させ、
防護ネットに作用した衝撃を、前記枠ロープの傾斜する四辺を通じて、隣り合う複数の菱形ロープネットへ順次伝播しつつ、前記複数の菱形ロープネットの枠ロープおよび菱形編みネットの扁平した菱形形状を呈するワイヤロープの変形抵抗により衝撃を減衰するように構成したことを特徴とする、
落石誘導防護構造体。
【請求項２】
斜面にワイヤロープ製の防護ネットを配置して構成する落石誘導防護構造体であって、
前記防護ネットは複数の菱形ロープネットと、
防護ネットの周辺部に設置した複数の三角ロープネットと、
縦横方向に配置して隣接する複数の菱形ロープネット間および菱形ロープネットと三角ロープネット間を連結する連結手段とにより構成し、
前記菱形ロープネットは、無負荷状態における形状が縦方向または横方向に扁平した菱形形状を呈する枠ロープと、
該枠ロープの内側に編みロープにより、無負荷状態における網目形状が縦方向または横方向に扁平した菱形の網目形状に編み込んだ菱形編みネットとにより構成し、
前記三角ロープネットは、無負荷状態における形状が三角形を呈する枠ロープと、
該三角形を呈する枠ロープの内側に編みロープにより、無負荷状態における網目形状が縦方向または横方向に扁平した菱形の網目形状に編み込んだ菱形編みネットとにより構成し、
前記菱形ロープネットの枠ロープの四辺と三角形ロープネットの枠ロープの二辺とを、それぞれ同一の直線上に位置するように斜め方向に連続性を有して配置し、
前記複数の菱形ロープネット及び複数の三角ロープネットの各枠ロープの各辺の重合箇所を力の伝達が可能なように連結手段で連結し、
前記防護ネットの周囲に衝撃荷重を伝達可能な主ロープを設け、
前記主ロープの複数箇所を斜面に定着したアンカーに支持させ、
防護ネットに作用した衝撃を、前記複数の菱形ロープネット及び複数の三角ロープネットの各枠ロープおよび菱形編みネットの扁平した菱形形状を呈するワイヤロープの変形抵抗により衝撃を減衰するように構成したことを特徴とする、
落石誘導防護構造体。
【請求項３】
請求項１または請求項２において、前記ロープネットを構成する枠ロープと菱形編みネットの網目が横方向に長く縦方向に短い菱形形状であることを特徴とする、落石誘導防護構造体。
【請求項４】
請求項１または請求項２において、前記ロープネットを構成する枠ロープと菱形編みネットの網目が縦方向に長く横方向に短い菱形形状であることを特徴とする、落石誘導防護構造体。
【請求項５】
請求項１乃至請求項４の何れか１項において、最上部の主ロープに取り付けた防護ネットが、該主ロープに沿って摺動可能であることを特徴とする、落石誘導防護構造体。
【請求項６】
請求項１乃至請求項５の何れか１項において、前記主ロープがアンカー頭部に摺動可能に支持されていることを特徴とする、落石誘導防護構造体。
【請求項７】
請求項１乃至請求項５の何れか１項において、アンカーと主ロープの間を、連結部材を介して連結したことを特徴とする、落石誘導防護構造体。
【請求項８】
請求項１乃至請求項５の何れか１項において、アンカーと主ロープの間に緩衝金具を介在して連結したことを特徴とする、落石誘導防護構造体。
【請求項９】
請求項１乃至請求項８の何れか１項において、隣り合うアンカーの間を結ぶ主ロープに、緩衝金具を介在したことを特徴とする、落石誘導防護構造体。
【請求項１０】
請求項１乃至請求項９の何れか１項において、主ロープの一部または全部にサグを有するように取り付けたことを特徴とする、落石誘導防護構造体。
【請求項１１】
請求項１または請求項２において、主ロープで囲まれた領域、又はその一部が金網で覆われていることを特徴とする、落石誘導防護構造体。
【請求項１２】
請求項１乃至請求項１１の何れか１項において、防護ネットの一部を斜面から離隔して設けたポケット式であることを特徴とする、落石誘導防護構造体。
【請求項１３】
請求項１乃至請求項１１の何れか１項において、防護ネットの隅部を斜面に固定して設けた覆い式であることを特徴とする、落石誘導防護構造体。
【手続補正２】
【補正対象書類名】明細書
【補正対象項目名】０００８
【補正方法】変更
【補正の内容】
【０００８】
上記のような課題を解決するために、斜面にワイヤロープ製の防護ネットを配置して構成する落石誘導防護構造体であって、前記防護ネットは少なくとも複数の菱形ロープネットと、縦横方向に配置して隣接する複数の菱形ロープネット間を相互に連結する連結手段とより構成し、前記菱形ロープネットは、無負荷状態における形状が縦方向または横方向に扁平した菱形形状を呈する枠ロープと、該枠ロープの内側に編みロープにより、無負荷状態における網目形状が縦方向または横方向に扁平した菱形の網目形状に編み込んだ菱形編みネットとにより構成し、前記複数の菱形ロープネットの枠ロープの傾斜する各辺のロープを、同一の直線上に位置するように斜め方向に連続性を有して配置し、前記複数の菱形ロープネットの枠ロープの傾斜する四辺の重合箇所を力の伝達が可能なように連結手段で連結し、前記防護ネットの周囲に衝撃荷重を伝達可能な主ロープを設け、前記主ロープの複数箇所を斜面に定着したアンカーに支持させ、防護ネットに作用した衝撃を、前記枠ロープの傾斜する四辺を通じて、隣り合う複数の菱形ロープネットへ順次伝播しつつ、前記複数の菱形ロープネットの枠ロープおよび菱形編みネットの扁平した菱形形状を呈するワイヤロープの変形抵抗により衝撃を減衰するように構成したことを特徴とするものである。
さらに本願発明の落石誘導防護構造体は、斜面にワイヤロープ製の防護ネットを配置して構成する落石誘導防護構造体であって、前記防護ネットは複数の菱形ロープネットと、防護ネットの周辺部に設置した複数の三角ロープネットと、
縦横方向に配置して隣接する複数の菱形ロープネット間および菱形ロープネットと三角ロープネット間を連結する連結手段とにより構成し、前記菱形ロープネットは、無負荷状態における形状が縦方向または横方向に扁平した菱形形状を呈する枠ロープと、該枠ロープの内側に編みロープにより、無負荷状態における網目形状が縦方向または横方向に扁平した菱形の網目形状に編み込んだ菱形編みネットとにより構成し、前記三角ロープネットは、無負荷状態における形状が三角形を呈する枠ロープと、該三角形を呈する枠ロープの内側に編みロープにより、無負荷状態における網目形状が縦方向または横方向に扁平した菱形の網目形状に編み込んだ菱形編みネットとにより構成し、前記菱形ロープネットの枠ロープの四辺と三角形ロープネットの枠ロープの二辺とを、それぞれ同一の直線上に位置するように斜め方向に連続性を有して配置し、前記複数の菱形ロープネット及び複数の三角ロープネットの各枠ロープの各辺の重合箇所を力の伝達が可能なように連結手段で連結し、前記防護ネットの周囲に衝撃荷重を伝達可能な主ロープを設け、前記主ロープの複数箇所を斜面に定着したアンカーに支持させ、防護ネットに作用した衝撃を、前記複数の菱形ロープネット及び複数の三角ロープネットの各枠ロープおよび菱形編みネットの扁平した菱形形状を呈するワイヤロープの変形抵抗により衝撃を減衰するように構成したことを特徴とするものである。
さらに本願発明は前記した落石誘導防護構造体において、前記ロープネットを構成する枠ロープと菱形編みネットの網目が横方向に長く縦方向に短い菱形形状であることを特徴とするものである。
さらに本願発明は前記した落石誘導防護構造体において、前記ロープネットを構成する枠ロープと菱形編みネットの網目が縦方向に長く横方向に短い菱形形状であることを特徴とするものである。
さらに本願発明は前記した何れかの落石誘導防護構造体において、最上部の主ロープに取り付けた防護ネットが、該主ロープに沿って摺動可能であることを特徴とするものである。
さらに本願発明は前記した何れかの落石誘導防護構造体において、前記主ロープがアンカー頭部に摺動可能に支持されていることを特徴とするものである。
さらに本願発明は前記した何れかの落石誘導防護構造体において、アンカーと主ロープの間を、連結部材を介して連結したことを特徴とするものである。
さらに本願発明は前記した何れかの落石誘導防護構造体において、アンカーと主ロープの間に緩衝金具を介在して連結したことを特徴とするものである。
さらに本願発明は前記した何れかの落石誘導防護構造体において、隣り合うアンカーの間を結ぶ主ロープに、緩衝金具を介在したことを特徴とするものである。
さらに本願発明は前記した何れかの落石誘導防護構造体において、主ロープの一部または全部にサグを有するように取り付けたことを特徴とするものである。
さらに本願発明は前記した落石誘導防護構造体において、主ロープで囲まれた領域、又はその一部が金網で覆われていることを特徴とするものである。
さらに本発明は前記した何れかの落石誘導防護構造体において、アンカー間の一部に主ロープが配置されていないことを特徴とするものである。